(57)【要約】【課題】スマート型充電式刺青彫機の提供。【解決手段】主に本体、機械ヘッド、針ヘッド、電池台を含む。該本体には切換スイッチ、制御回路、数個の表示灯を設置し、該切換スイッチと該回路の制御により、該針ヘッドは異なる刺青速度を生じ、使用者は眉刺青、アイライン刺青、唇刺青の刺青速度を自由に選択可能で、眉刺青、アイライン刺青、唇刺青は最良の効果を達成する。該本体一端には孔と該電池台を設置し、該電池台は該孔と相対する電源コンセントを設置し、これにより該本体に電源を提供し、充電の便を図る。その充電構造は簡易で、製造コストを低下させることができる。また該機械ヘッドはプラスチック材料により使い捨てに製造するため、顔料の交換に便利で、さらに衛生的である。【選択図】図１
0003126886.tif 000002
【実用新案登録請求の範囲】
【請求項１】
本体、機械ヘッド、針ヘッド、電池台を含み、
該本体には往復駆動構造を設置し、
該機械ヘッドは該本体上に設置し、刺青に用いる顔料を入れることができ、
該針ヘッドは該機械ヘッド中に穿設し、該往復駆動構造と接続し、往復刺青動作を行い、一部は該機械ヘッド外に露出し、
該電池台は該本体一端に設置し、
該本体には相互に接続する切換スイッチ、回路板を設置し、該回路板には該往復駆動構造のモーター回転速度を制御可能な制御回路を設置し、該切換スイッチ及び該回路の制御により、該針ヘッドは異なる刺青速度を生じ、使用者は眉刺青、アイライン刺青、唇刺青の刺青速度を自由に選択可能で、眉刺青、アイライン刺青、唇刺青は最良の効果を達成することを特徴とするスマート型充電式刺青彫機。
【請求項２】
前記本体上には該本体外に貫通する表示灯を設置し、該往復駆動構造モーターがどの回転速度(刺青状態)にあるかを表示することを特徴とする請求項１記載のスマート型充電式刺青彫機。
【請求項３】
前記本体一端には孔を設置し、該電池台には該孔と相対する電源コンセントを設置し、該電源コンセントは孔中に挿入設置し、該本体に電源を提供し、充電に便利であることを特徴とする請求項１記載のスマート型充電式刺青彫機。
【請求項４】
前記電池台一端には蓋を設置し、電池を入れることを特徴とする請求項３記載のスマート型充電式刺青彫機。
【請求項５】
前記電池台は該充電器と連結し、該充電器には充電挿入孔を具えた突台を設置し、該充電挿入孔の大きさは該電池台の電源コンセントに対応し、該電池台の電源コンセントと挿入設置され、該電池台に対して充電を行うことを特徴とする請求項３記載のスマート型充電式刺青彫機。
【請求項６】
前記機械ヘッドはプラスチック材料により使い捨てに製造し、顔料の交換の便宜を図り、さらに衛生的であることを特徴とする請求項１記載のスマート型充電式刺青彫機。
【考案の詳細な説明】
【技術分野】
【０００１】
本考案は一種の美容に用いるスマート型充電式刺青彫機に関する。特に一種の使用者は眉毛、アイライン、唇への刺青の速度を自由に選択可能で、眉毛、アイライン、唇への刺青において最良の効果を達成でき、本体一端は挿入孔式充電構造を採用し、構造が簡易で充電に便利で、しかも製造コストを低下させることができ、さらに機械ヘッドは使い捨て式であるため、色の交換に便利でかつ衛生的であるスマート型充電式刺青彫機に係る。
【背景技術】
【０００２】
公知の眉刺青は眉刺青筆を用い行うが、該眉刺青筆では往復させ色をつける必要があるため困難で、同時に手作業で、しかも非常に面倒であったため、徐々に淘汰されている。
【０００３】
これに代わって電動眉刺青機が開発された。現在台湾で使用されているほとんどの眉刺青機は本考案者の考案である。本考案者が以前申請した多くの刺青機に関する特許の他に他人が申請した刺青機特許もあり、それぞれの技術特徴は異なるが、実際に商品として実施された後、公知の多くの眉刺青機には少なくとも以下のような共通の欠点があることが分かった、
１．眉刺青機の針ヘッドの往復速度は固定であるが、眉刺青の技術においては、刺青速度を遅くしなければ眉刺青は美しくならない。眉には毛穴があるため、眉刺青速度が速ければ眉部分に立体感が出ないためである。さらに、該構造では使用者は速度を選択できないため、眉刺青の道具としてのみ使用され、アイライン、唇への刺青に適用することができず、適用範囲が小さく相対的に製品価値が低い。唇刺青は唇に色をつけるが、唇には毛穴がないため、刺青速度を速くしなければ唇刺青は美しくならない。一方、アイライン刺青の場合には、その速度は眉と唇の中間にすれば、アイライン刺青は美しくなる、
２．眉刺青機の一端に設置する電池台は取外し式の設計で、電源を眉刺青機本体に供給する他、充電器に設置し充電することができる。しかし、該電池台の取外し式構造は不適当な脱落を防止し導電性を確保するため、比較的複雑で使用において利便性が低く、また製造コスト増大の原因となっている、
３．眉刺青機一端には機械ヘッドを設置し、該機械ヘッドには欠槽を設置し眉刺青に使用する顔料を入れるが、通常機械ヘッドと眉刺青機本体は同一材質で使い捨て式ではないため、顔料の交換時、先ず機械ヘッド内部の清掃を行わなければならない。また眉刺青時に針ヘッドには血液が付着するが、針ヘッドの一部は機械ヘッド内部で往復動作を行うため、機械ヘッドにも血液が付着する。よって、針ヘッドを交換したとしても、機械ヘッドを別の使用者に繰返し使用すれば、非常に不衛生である。
【０００４】
よって、本考案者は公知の眉刺青機の欠点を解決し、しかも現在、眉、アイライン、唇への刺青に同時に使用できる刺青機が市販されていないことを考慮し、本考案の構造を開発した。
【考案の開示】
【考案が解決しようとする課題】
【０００５】
上記課題を解決するため、本考案は下記のスマート型充電式刺青彫機を提供する。それは主に眉刺青、アイライン刺青、唇刺青機能を達成するスマート型充電式刺青彫機を提供し、該構造は本体、機械ヘッド、針ヘッド、電池台を含み、該本体には切換スイッチ、制御回路、数個の表示灯を設置し、該切換スイッチと該回路の制御により、該針ヘッドは異なる刺青速度を生じ、該数個の表示灯は刺青の状態を告知し、使用者は眉刺青、アイライン刺青、唇刺青の刺青速度を自由に選択可能で、眉刺青、アイライン刺青、唇刺青は最良の効果を達成する。
【０００６】
さらにそれは、充電構造が組立てに便利で製造コストを低下させることができるスマート型充電式刺青彫機を提供し、該構造の該本体一端には孔と該電池台を設置し、該電池台は該孔と相対する電源コンセントを設置し、これにより該本体に電源を提供し、充電の便を図り、その充電構造は簡易で、製造コストを低下させることができる。
【０００７】
またそれは顔料の交換に便利で衛生的なスマート型充電式刺青彫機を提供し、該構造の該機械ヘッドはプラスチック材料により使い捨てに製造するため、顔料の交換に便利で、さらに衛生的であることを特徴とするスマート型充電式刺青彫機である。
【課題を解決するための手段】
【０００８】
請求項１の考案は、本体、機械ヘッド、針ヘッド、電池台を含み、
該本体には往復駆動構造を設置し、
該機械ヘッドは該本体上に設置し、刺青に用いる顔料を入れることができ、
該針ヘッドは該機械ヘッド中に穿設し、該往復駆動構造と接続し、往復刺青動作を行い、一部は該機械ヘッド外に露出し、
該電池台は該本体一端に設置し、
該本体には相互に接続する切換スイッチ、回路板を設置し、該回路板には該往復駆動構造のモーター回転速度を制御可能な制御回路を設置し、該切換スイッチ及び該回路の制御により、該針ヘッドは異なる刺青速度を生じ、使用者は眉刺青、アイライン刺青、唇刺青の刺青速度を自由に選択可能で、眉刺青、アイライン刺青、唇刺青は最良の効果を達成することを特徴とするスマート型充電式刺青彫機としている。
請求項２の考案は、前記本体上には該本体外に貫通する表示灯を設置し、該往復駆動構造モーターがどの回転速度(刺青状態)にあるかを表示することを特徴とする請求項１記載のスマート型充電式刺青彫機としている。
請求項３の考案は、前記本体一端には孔を設置し、該電池台には該孔と相対する電源コンセントを設置し、該電源コンセントは孔中に挿入設置し、該本体に電源を提供し、充電に便利であることを特徴とする請求項１記載のスマート型充電式刺青彫機としている。
請求項４の考案は、前記電池台一端には蓋を設置し、電池を入れることを特徴とする請求項３記載のスマート型充電式刺青彫機としている。
請求項５の考案は、前記電池台は該充電器と連結し、該充電器には充電挿入孔を具えた突台を設置し、該充電挿入孔の大きさは該電池台の電源コンセントに対応し、該電池台の電源コンセントと挿入設置され、該電池台に対して充電を行うことを特徴とする請求項３記載のスマート型充電式刺青彫機としている。
請求項６の考案は、前記機械ヘッドはプラスチック材料により使い捨てに製造し、顔料の交換の便を図り、さらに衛生的であることを特徴とする請求項１記載のスマート型充電式刺青彫機としている。
【考案の効果】
【０００９】
上記のように、本考案により使用者は眉刺青、アイライン刺青、唇刺青の刺青速度を自由に選択可能で、眉刺青、アイライン刺青、唇刺青効果は最良の状態を達成することができる。本体の充電構造は、構造が簡易で充電に便利で、しかも製造コストを低下させることができる。さらに、機械ヘッドは使い捨て式であるため、顔料交換に便利でしかも衛生的である。全体的に特殊な機能を具えた独自の構造で、公知の眉刺青機の欠点を徹底的に改善している。
【考案を実施するための最良の形態】
【００１０】
図１、２、３に示すように、本考案スマート型充電式刺青彫機は持ち易いペン状である。該構造は内部に針ヘッドを設置する往復駆動構造１２と切換スイッチ１１を設置する本体１０、顔料充填空間とする機械ヘッド２０、往復刺青動作を行う針ヘッド３０、該本体１０に電源を供給する電池台４０を含む。使用時には、該切換スイッチ１１の切換により眉刺青、アイライン刺青、唇刺青の鉢ヘッド刺青速度を自由に選択可能であるため、眉刺青、アイライン刺青、唇刺青は最良の効果を達成することができる。該電池台４０の組立て構造は簡易で該本体１０との取外し/取り付けに便利で、しかも該充電器５０上において組み合わせ容易に充電することができる。該機械ヘッド２０は使用後に捨てることができ、顔料の交換に便利で衛生的である。
【００１１】
該本体１０上には該針ヘッド３０を切換可能な刺青速度の切換スイッチ１１を設置し、内部には往復駆動構造１２を設置し、往復棒１３を駆動し、これにより該針ヘッド３０は往復刺青動作を行うことができる。該往復駆動構造１２は通常はモーター及び電動ボックスにより組成されるが、公知構造であるためここでは詳述しない。該往復棒１３には間隙１３１とネジヤマ１３２を設置する。該本体１０は一端に取外し式の接続管１４を設置し該機械ヘッド２０を接続し、該機械ヘッド２０、該針ヘッド３０の交換の便を図る。該本体１０の反対端には連結台１５を設置し、該連結台１５は回路板１６と電源コンセント１６２を設置する。該回路板１６は該往復駆動構造１２のモーター回転速度を制御可能な制御回路で、該回路板１６には複数の該連結台１５外に貫通する表示灯１６１を設置する。該表示灯１６１の点灯或いは消灯により、モーターがどの回転速度にあり、どの刺青モードであるかを使用者に告知する。該連結台１５の片側面には孔１５１を設置し、該孔１５１は該電源コンセント１６２と相互に接続し、該電池台４０と組み合わせ、導電する。
【００１２】
該機械ヘッド２０は該本体１０の接続管１４上に嵌設し、該針ヘッド３０はその中を貫き設置する。該機械ヘッド２０は欠槽２１を具え、刺青に用いる顔料などを入れる。全体をプラスチックで製造し使い捨て式とし、顔料の交換の便を図り、衛生的とする。
【００１３】
該針ヘッド３０は該機械ヘッド２０と該往復駆動構造１２の往復棒１３中に穿設し、固定部品３１と往復棒のネジヤマ１３２の螺設により該往復棒１３上に固定し、該往復駆動構造１２の駆動を受け、該機械ヘッド２０外に出る部分が往復刺青動作を行う。
【００１４】
該電池台４０は該連結台１５の孔１５１と相対する電源コンセント４１を設置し、該本体１０と取り付け/取外しを行うことができる。該電池台４０一端には蓋４２を設置し、これによりリチウム電池４８を入れ、該本体に電源を供給する。
【００１５】
該充電器５０は充電挿入孔５１を具えた突台５２を設置し、該充電挿入孔５１の大きさは該電池台４０の電源コンセント４１に対応し、該電池台４０に対して充電を行うことができる。該充電器５０には表示灯５３を設置し、充電状態を表示する。
【００１６】
次に図３に示すように、本考案スマート型充電式刺青彫機は眉刺青、アイライン刺青、唇刺青の３つの機能を具える。主に該本体１０には相互に接続する切換スイッチ１１、回路板１６、数個の表示灯１６１を設置する。該切換スイッチ１１は３段階切換に設計し(眉刺青、アイライン刺青、唇刺青の３段階)、該回路板１６には該往復駆動構造１２のモーター回転速度を制御可能な制御回路を設置する。本考案の最適実施例では３種のモーター回転速度を設定することができる。すなわち、8000rpmは眉刺青に、9600 rpmはアイライン刺青に、11000 rpmは唇刺青に適用する。
【００１７】
上記のように、該切換スイッチ１１と回路の制御により、該針ヘッド３０は異なる刺青速度を生じ、該表示灯１６１によりどの刺青状態であるかを表示する。使用者は必要に応じて、眉刺青、アイライン刺青、唇刺青の対応する速度を自由に選択可能で、眉刺青、アイライン刺青、唇刺青は最良の効果を達成し、しかも１台で多種の用途を実現し、機体のパフォーマンスは最大である。
【００１８】
さらに図４、５に示すように、本考案の電池台４０は該本体１０から取外した後、直接該充電器５０の充電挿入孔５１に挿入設置し充電を行う。この挿入孔式充電構造により、構造は簡易となり充電に便利で、しかも製造コストを低下させることができる。
【図面の簡単な説明】
【００１９】
【図１】本考案スマート型充電式刺青彫機と充電器の立体図である。
【図２】本考案スマート型充電式刺青彫機の立体分解図である。
【図３】本考案スマート型充電式刺青彫機の針ヘッド往復刺青彫速度を制御する構造のブロックチャートである。
【図４】本考案スマート型充電式刺青彫機の電池台と充電器を相互に組合せる使用実施例図である。
【図５】本考案スマート型充電式刺青彫機の電池台と充電器を相互に組合せる断面図である。
【符号の説明】
【００２０】
１０  本体
１１  切換スイッチ
１２  往復駆動構造
１３  往復棒
１３１  間隙
１３２  ネジヤマ
１４  接続管
１５  連結台
１５１  孔
１６  回路板
５３、１６１  表示灯
１６２  電源コンセント
２０  機械ヘッド
２１  欠槽
３０  針ヘッド
３１  固定部品
４０  電池台
４１  電源コンセント
４２  蓋体
４３  リチウム充電電池
５０  充電器
５１  充電挿入孔
５２  突台
【図１】
0003126886.tif 000003
【図２】
0003126886.tif 000004
【図３】
0003126886.tif 000005
【図４】
0003126886.tif 000006
【図５】
0003126886.tif 000007